(57)【特許請求の範囲】
【請求項１】
少なくともモニタテレビ付きインターホンとテレビカメラ付きドアホン子器とを含むホームオートメーションの情報機器と、情報機器からの情報に基づく情報処理を行うＩＳＤＮ端末と、Ｓ／Ｔインタフェースを通じてＩＳＤＮ端末との間で通信を行って上記情報をＩＳＤＮ端末に送出させるＩＳＤＮのターミナルアダプタと、上記情報機器のうちモニタテレビ付きインターホンとテレビカメラ付きドアホン子器との信号線上に介在接続され、ドアホン子器の呼び出し釦の押し下げを検出する着信検出回路と、信号線上に重畳される音声信号と映像信号を分離して映像信号を抽出する映像抽出回路と、該映像抽出回路及びモニタテレビ付きインターホンに接続すべきドアホン子器を選択する選択回路と、映像抽出回路で抽出された後、デジタル化とともに圧縮化された映像信号をターミナルアダプタに転送する汎用インターフェースとを備え、モニタテレビ付きインターホンとドアホン子器との間での通話音声信号を中継する一方で、これらモニタテレビ付きインターホンとドアホン子器との間での映像信号を転送するドアホンアダプタと、を設けたことを特徴とするホームオートメーションシステム。
【請求項２】
ディジタル無線通信システムの基地局を上記ターミナルアダプタに設け、上記手段は基地局を通じてディジタル無線通信システムの無線端末との間で通信を行って上記情報を前記無線端末へ送出することを特徴とする請求項１記載のホームオートメーションシステム。
【請求項３】
上記情報機器が来客報知機器であって、ターミナルアダプタへ送る情報が、来客報知情報及び来客映像情報であることを特徴とする請求項１又は２記載のホームオートメーションシステム。
【請求項４】
上記情報機器としてＦＭ放送の文字多重情報受信機や、火災、防災等のセキュリティ情報機器を含むことを特徴とする請求項１乃至３の何れか記載のホームオートメーションシステム。
【発明の詳細な説明】
【０００１】
【発明の属する技術分野】
本発明は、ホームオートメーションシステムに関するものである。
【０００２】
【従来の技術】
従来ＩＳＤＮ端末を用いたホームオートメーションシステムは存在しておらず、ＩＳＤＮ端末を用いたホームオートメーションシステムが求められていた。
【０００３】
【発明が解決しようとする課題】
本発明は上記の点に鑑みて為されたもので、請求項１の発明の目的するところはホームオートメーショの情報機器からの情報をＩＳＤＮ端末で使用できるホームオートメーションシステムを提供することにある。
請求項２の発明の目的とするところは請求項１の発明の目的に加えて、ホームオートメーションからの情報をディジタル無線通信システムの無線端末にも送ることができるホームオートメーションシステムを提供することにある。
【０００４】
請求項３の発明の目的とするところは、請求項１又は２の発明の目的に加えて、ＩＳＤＮ端末又はディジタル無線通信システムの無線端末で来客報知や、来客映像の表示ができるホームホートメーションを提供することにある。
請求項４の発明の目的とするところは、請求項１又は２又は３の発明の目的に加えて、ＩＳＤＮ端末で、各種情報の表示や、処理を行うことができるホームオートメーションシステムを提供することにある。
【０００５】
【課題を解決するための手段】
請求項１の発明では、少なくともモニタテレビ付きインターホンとテレビカメラ付きドアホン子器とを含むホームオートメーションの情報機器と、情報機器からの情報に基づく情報処理を行うＩＳＤＮ端末と、Ｓ／Ｔインタフェースを通じてＩＳＤＮ端末との間で通信を行って上記情報をＩＳＤＮ端末に送出させるＩＳＤＮのターミナルアダプタと、上記情報機器のうちモニタテレビ付きインターホンとテレビカメラ付ドアホン子器との信号線上に介在接続され、ドアホン子器の呼び出し釦の押し下げを検出する着信検出回路と、信号線上に重畳される音声信号と映像信号を分離して映像信号を抽出する映像抽出回路と、該映像抽出回路及びモニタテレビ付インターホンに接続すべきドアホン子器を選択する選択回路と、映像抽出回路で抽出された後、デジタル化とともに圧縮化された映像信号をターミナルアダプタに転送する汎用インターフェースとを備え、モニタテレビ付きインターホンとドアホン子器との間での通話音声信号を中継する一方で、これらモニタテレビ付きインターホンとドアホン子器との間での映像信号を転送するドアホンアダプタと、を設けたことを特徴とする。
【０００６】
請求項２の発明では、請求項１の発明において、ディジタル無線通信システムの基地局を上記ターミナルアダプタに設け、上記手段は基地局を通じてディジタル無線通信システムの無線端末との間で通信を行って上記情報を前記無線端末へ送出することを特徴とする。
請求項３の発明では、請求項１又は２の発明において、上記情報機器が来客報知機器であって、ターミナルアダプタへ送る情報が、来客報知情報及び来客映像情報であることを特徴とする。
【０００７】
請求項４の発明では、請求項１乃至３の何れかの発明において、上記情報機器としてＦＭ放送の文字多重情報受信機や、火災、防災等のセキュリティ情報機器を含むことを特徴とする。
【０００８】
【発明の実施の形態】
以下、本発明を実施形態により説明する。
（実施形態１）
本実施形態は、図１に示すように情報分電盤１と、ＴＶカメラ付ドアホン（ドアホン子器）と、モニタＴＶ３付インターホン４と、ＩＳＤＮ端末５とから構成され、情報分電盤１にはＩＳＤＮ回線６に接続されるＤＳＵ内蔵のターミナルアダプタ７と、ＴＶカメラ付ドアホン２及びＴＶカメラ付ドアホン２を接続し、ドアホン２とインターホン４との相互間の通話信号、呼び出し信号、ＴＶカメラで撮像した来客の映像信号等を中継したり、給電制御を行う機能、映像信号をディジタル化、圧縮して来客映像情報としてターミナルアダプタ７へ送出する機能等を持つドアホンアダプタ８とを備えている。
【０００９】
図２はターミナルアダプタ７の具体的構成を示しており、ターミナルアダプタ７は、全体の処理制御を行うＣＰＵ９と、ＩＳＤＮ回線６に接続されるＤＳＵ１０と、ＤＳＵ１０のＳ／Ｔ点ドライバ１１に接続されたＳ／Ｔ点スレーブインタフェース１２と、ＲＳ２３２Ｃの様な汎用のシリアルポートからなる汎用インタフェース１３と、汎用インタフェース１３を介して入力された来客映像情報を汎用インタフェース１３の速度でバッファリングするバッファメモリ１４と、転送クロック（例えば６４ｋＨｚ）に同期された同期型のシリアルディジタル信号をＣＰＵ９の指示により交換するためのディジタル交換部（メモリタイムスイッチ＝ＭＴＳＷ）１５と、バッファメモリ１４でバッファリングされた来客映像情報をディジタル交換部１５の処理速度（転送クロック）で抽出して速度変換を行う映像情報抽出速度変換部１６と、速度変換された映像情報をＩＳＤＮ端末５へ送出するためのＳ／Ｔマスタインタフェース１７とから構成される。
【００１０】
ドアホンアダプタ８はＦ３９６７６３のＴＶカメラ付ドアホン２を接続することができるもので、図３に示すように全体の処理制御を行うＣＰＵ１８と、ドアホン２の呼び出し釦（図示せず）の押し下げを信号線の電圧低下等により検出してＣＰＵ１８に伝える着信検出回路１９と、ＣＰＵ１８の指示により、映像抽出回路２２及びモニタＴＶ３付インターホン４に接続すべきドアホン２を選択する選択回路２０と、ＣＰＵ１８の指示により指定されたドアホン２への給電を行う給電回路２１と、信号線上に重畳される音声信号と、映像信号を分離する（実施形態では音声をＦＭ変調しているので、フィルタにより分離する）して、映像信号を抽出する上記映像抽出回路２２と、抽出された映像信号をディジタル化するためのディジタル化回路２３と、ディジタル化されて得られた映像情報を圧縮する圧縮回路２４と、ＲＳ２３２Ｃのような汎用のシリアルポートからなる汎用インタフェース２５とで構成され、圧縮回路２４で圧縮された映像情報を汎用インタフェース２５を介してターミナルアダプタ７に送出するようになっている。
【００１１】
次に本実施形態の動作を図４により説明する。
今ドアホン２で、来客が呼び出し釦を押し下げると、ドアホンアダプタ８では着信検出回路１９がドアホン２への呼び出し釦押下検出用電圧の降下で呼び出しを検知する。この検出はＣＰＵ１８に伝えられ、ＣＰＵ１８は選択回路２０に対して呼び出し釦の押し下げがあったドアホン２を選択させ、該選択したドアホン２に対して給電回路２１より給電を行なわせる。
【００１２】
そして選択されたドアホン２から送られてくるＴＶカメラで撮像した来客の映像の映像信号（例えばＦＭ変調された音声信号を重畳したベースバンドの信号）を映像抽出回路２２で抽出し、この映像信号をディジタル化するとともに圧縮し、この圧縮されて得られた来客映像情報を汎用インタフェース２５の情報フィールドへ挿入してターミナルアダプタ７へ送る。ターミナルアダプタ７では、来客映像情報が送られくると、ＣＰＵ９の制御の下で、ＩＳＤＮ端末５に対して着呼信号を送る。ＩＳＤＮ端末５は着呼信号が送られてくるとリンクチャネル確率要求をターミナルアダプタ７に対して送り、ターミナルアダプタ７はこれに対応してリンクチャネル割当てをＩＳＤＮ端末５に知らせ、このリンクチャネル割当てを受けたＩＳＤＮ端末５は着呼応答を出し、ターミナルアダプタ７は呼設定をＩＳＤＮ端末５に対して送り、この呼設定に応じてＩＳＤＮ端末５は呼設定受付をターミナルアダプタ７に送る。このようにＩＳＤＮ端末５とターミナルアダプタ７との間で着呼時の処理を行った後モニタ映像の通信チャネルが確立されることになる。尚ターミナルアダプタ７は、呼設定の発番号若しくは発サブアドレスで情報の種類がモニタ映像であることをＩＳＤＮ端末５に通知する。
【００１３】
そして、ドアホン２からの映像信号がドアホンアダプタ８に送られてディジタル化され且つ圧縮されて来客映像情報になり、該来客映像情報がターミナルアダプタ７へ送られ、ターミナルアダプタ７で速度変換された後、ＩＳＤＮ端末５へ送られる。ここでＩＳＤＮ端末５はモニタ機能を持つ、例えばパーソナルコンピュータからなり、圧縮された上記来客映像情報を伸張した後、自身のディスプレイに来客映像を表示する。
【００１４】
本実施形態では、簡易に連動ということで、汎用インタフェースでやり取りする情報の種別、又は来客報知システムとして通話機能については言及しなかったが、勿論汎用インタフェースのメッセージフォーマットを工夫し、また音声と映像の多重化を図ることにより、通話にまで至らせる構成を取り得ることができる。
【００１５】
（実施形態２）
図５が本実施形態の全体システムを示し、本実施形態では来客報知のための端末をＩＳＤＮ端末５以外に、所謂ＰＨＳのようなディジタル無線通信システムの携帯用無線端末２６に対しても来客報知を行うことができるようにしたもので、ターミナルアダプタ７に図６に示すようにＴＤＭＡ部２７と、モデム部２８と、無線送受信部（ＲＦ部）２９とを設けたディジタル無線通信システムの基地局３０を設けており、例えば無線端末２６が映像表示機能を備えているものであれば、来客映像情報をＣＰＵ９を通じて基地局３０側に取り込んで、無線端末２６へ送信することにより、無線端末２６で来客の映像を見ることができることになる。  尚その他の構成は実施形態１と同じであるので、同じ機能を持つ構成には同じ番号、記号を付し、実施形態１での説明を参照することにしてここでは省略する。
【００１６】
（実施形態３）
実施形態１は、ドアホンシステムに連動するシステムであったが、本実施形態は、図７に示すようにガス漏れセンサや、火災センサ、防犯センサ等の各種センサ３１からのセンサ情報を取り込む集中管理センタ機能を備えたアラームユニット３２と、ＦＭ放送の文字多重情報の外部出力機能付きＦＭ受信機３４と、アラームユニット３２からのセンサ情報や、ＦＭ受信機３４で受信される文字多重情報を受け取り、ターミナルアダプタ７への伝達を行う機能を備えたホームオートメーション（以下ＨＡと略す）マネージャ３３とを情報分電盤１に追加内蔵し、各種情報のモニタをＩＳＤＮ端末５で行うことができるようになっている。
【００１７】
ＨＡマネージャ３３は、図８に示すようにＨＡマネージャ３３の制御処理を行うためのＣＰＵ３７と、ドアホンアダプタ８と接続するＲＳ２３２Ｃの汎用インタフェース３５と、ターミナルアダプタ７を接続するＲＳ２３２Ｃの汎用インタフェース３６と、ＦＭ受信機３４からの文字多重情報をＣＰＵ３７で受け取るための文字多重用テキストインタフェース３８と、アラームユニット３２のセンサ情報をＣＰＵ３７で受け取るためのセンサ情報入力用テキストインタフェース３９とを備えている。
【００１８】
ターミナルアダプタ７は、図９に示すように実施形態１に用いるターミナルアダプタ７と同じ構成となっており、同じ回路要素には同じ番号、記号を付し、ここでは説明は省略する。
ドアホンアダプタ８は図１０に示すように実施形態１に用いるドアホンアダプタ８と同じ構成となっており、同じ回路要素には同じ番号、記号を付し、ここでは説明は省略する。
【００１９】
アラームユニット３２は図１１に示すようにＨＡマネージャ３３を通じてターミナールアダプタ７と接続するためのＴＡインタフェース４０と、各種センサ３１を接続してセンサ入力（オン・オフ接点入力）を監視するセンサ入力監視部４１と、アラームユニット３２の制御処理を行うＣＰＵ４２とを備え、センサ入力監視部４１を介して取り込んだセンサ情報をＣＰＵ４２で処理してＴＡインタフェース４０からＨＡマネージャ３３に送るようになっている。
【００２０】
ここで本実施形態に用いる汎用インタフェースに用いる電文フォーマットは図１２（ａ）に示すようにドアホンアダプタ８やＦＭ文字多重のＦＭ受信機３４、アラームユニット３２等の識別を行うための送信元アドレス、表示付端末等、予め設定されたもの、特に指定の無い場合やターミナルアダプタ７に指定を委ねる場合の特殊データを入れる（例えばＡＬＬ  １）送信先アドレス、圧縮映像やテキスト及び音声付映像等の識別のための情報種別、そして情報から構成される。
【００２１】
情報としては例えば音声付き映像情報で固定エリアの場合には、図１２（ｂ）に示すように音声、圧縮映像の情報が書き込まれる。
尚本実施形態の場合、ドアホンシステムに対応して扱う情報は実施形態１と同様に来客映像情報のみとしている。
本実施形態の場合は、来客映像情報、ＦＭ放送の文字多重情報、及びセキリュティ情報（ガス漏れ、火災等のセンサ情報）の報知（表示）ができる構成であるが、ターミナルアダプタ７に情報を伝えるための手段、及びそれ以降の動作もシーケンスとしては同じであるため、図１３を用いてアラームユニット３２からセンサ情報の報知（表示）の動作について説明する。
【００２２】
まずアラームユニット３２ではセンサ３１が起動すると、アラームユニット３２からＨＡマネージャ３３を通じてターミナルアダプタ７に対して上記電文フォーマットにより情報を送出する。
この場合送信元はアラームユニット、送信先は指定無し、情報種別は例えばガス漏れセンサが起動したとすると、テキストで、その情報は”ガス漏れ発生御確認願います”と言うようにガス漏れを示す文となる。
【００２３】
ターミナルアダプタ７はＨＡマネージャ３３を通じてアラームユニット３２から情報を受け取ると、ＣＰＵ９の制御の下で、ＩＳＤＮ端末５に対して着呼信号を送る。ＩＳＤＮ端末５は着呼信号が送られてくるとリンクチャネル確率要求をターミナルアダプタ７に対して送る。ターミナルアダプタ７はこれに対応してリンクチャネル割当てをＩＳＤＮ端末５に知らせ、このリンクチャネル割当てを受けたＩＳＤＮ端末５は着呼応答を出し、ターミナルアダプタ７は呼設定をＩＳＤＮ端末５に対して送り、この呼設定に応じてＩＳＤＮ端末５は呼設定受付をターミナルアダプタ７に送る。このようにＩＳＤＮ端末５とターミナルアダプタ７との間で着呼時の処理を行った後アラームユニット３２から送られてきた情報＝”ガス漏れ発生御確認願います”という文のテキストデータをＩＳＤＮ端末５に送り、ＩＳＤＮ端末５はモニタ機能を持つ、例えばパーソナルコンピュータからなり、上記”ガス漏れ発生御確認願います”という文を自身のディスプレイに来客映像を表示する。
【００２４】
上記動作はアラームユニット３２からのセンサ情報に基づくものであるが、ＦＭ受信機３４からの文字多重情報の場合にも同様に受信した文字情報をＨＡマネージャ３３を通じて上記電文フォーマットでターミナルアダプタ７へ送ることにより、アラームユニット３２の場合と同様にＩＳＤＮ端末５で文字多重情報を表示することができる。
【００２５】
尚複数のセンサ情報等が同時発生した場合には、報知優先等をＨＡマネージャ３３のＣＰＵ３７の処理により委ねておくと良い。
またドアホン２からの来客映像情報はＨＡマネージャ３３内の汎用インタフェース３５、３６を通過してターミナルアダプタ７へ送り出されるようになっている。
【００２６】
【発明の効果】
請求項１の発明は、少なくともモニタテレビ付きインターホンとテレビカメラ付きドアホン子器とを含むホームオートメーションの情報機器と、情報機器からの情報に基づく情報処理を行うＩＳＤＮ端末と、Ｓ／Ｔインタフェースを通じてＩＳＤＮ端末との間で通信を行って上記情報をＩＳＤＮ端末に送出させるＩＳＤＮのターミナルアダプタと、上記情報機器のうちモニタテレビ付きインターホンとテレビカメラ付ドアホン子器との信号線上に介在接続され、ドアホン子器の呼び出し釦の押し下げを検出する着信検出回路と、信号線上に重畳される音声信号と映像信号を分離して映像信号を抽出する映像抽出回路と、該映像抽出回路及びモニタテレビ付インターホンに接続すべきドアホン子器を選択する選択回路と、映像抽出回路で抽出された後、デジタル化とともに圧縮化された映像信号をターミナルアダプタに転送する汎用インターフェースとを備え、モニタテレビ付きインターホンとドアホン子器との間での通話音声信号を中継する一方で、これらモニタテレビ付きインターホンとドアホン子器との間での映像信号を転送するドアホンアダプタと、を設けているので、ＩＳＤＮ端末によりホームオートメーションの情報機器の情報を報知（表示）することができ、またＩＳＤＮ端末をホームオートメーションの情報機器に連動できるというホームオートメーションシステムを構築できるという効果がある。特にドアホンアダプタが、モニタテレビ付きインターホンとテレビカメラ付きドアホン子器との情報通信を、ターミナルアダプタに送って、そのような情報通信をＩＳＤＮ端末側でも活用することができる。
【００２７】
請求項２の発明は、請求項１の発明において、ディジタル無線通信システムの基地局を上記ターミナルアダプタに設け、上記手段は基地局を通じてディジタル無線通信システムの無線端末との間で通信を行って上記情報を前記無線端末へ送出するので、ディジタル無線通信システムの無線端末をもホームオートメーションの情報機器に連動できるというホームオートメーションシステムを構築できるという効果がある。
【００２８】
請求項３の発明は、請求項１又は２の発明において、上記情報機器が来客報知機器であって、ターミナルアダプタへ送る情報が、来客報知情報及び来客映像情報であるので、来客報知（来客映像の表示）が行えるという効果がある。
請求項４の発明は、請求項１乃至３の発明において、上記情報機器としてＦＭ放送の文字多重情報受信機や、火災、防犯等のセキュリティ情報機器を含むので、文字多重情報の報知（表示）は勿論のこと、セキュリティ情報の報知（表示）を行うことができて、総合的なホームオートメーションシステムを構築することができるという効果がある。
【図面の簡単な説明】
【図１】本発明の実施形態１の概略システム構成図である。
【図２】同上のターミナルアダプタの回路構成図である。
【図３】同上のドアホンアダプタの回路構成図である。
【図４】同上のシーケンスの説明図である。
【図５】本発明の実施形態２の概略システム構成図である。
【図６】同上のターミナルアダプタの回路構成図である。
【図７】本発明の実施形態３の概略システム構成図である。
【図８】同上のＨＡマネージャの回路構成図である。
【図９】同上のターミナルアダプタの回路構成図である。
【図１０】同上のドアホンアダプタの回路構成図である。
【図１１】同上のアラームユニットの回路構成図である。
【図１２】同上の汎用インタフェースで使用する電文フォーマットの説明図である。
【図１３】同上のシーケンスの説明図である。
【符号の説明】
１    情報分電盤
２    ＴＶカメラ付ドアホン
３    モニタＴＶ
４    インターホン
５    ＩＳＤＮ端末
６    ＩＳＤＮ回線
７    ターミナルアダプタ
８    ドアホンアダプタ
【図１】
0004167304.tif 000002
【図２】
0004167304.tif 000003
【図３】
0004167304.tif 000004
【図４】
0004167304.tif 000005
【図５】
0004167304.tif 000006
【図６】
0004167304.tif 000007
【図７】
0004167304.tif 000008
【図８】
0004167304.tif 000009
【図９】
0004167304.tif 000010
【図１０】
0004167304.tif 000011
【図１１】
0004167304.tif 000012
【図１２】
0004167304.tif 000013
【図１３】
0004167304.tif 000014